(57)【特許請求の範囲】
【請求項１】
所定の情報記載部を有するカード台紙の所定部分に、前記情報記載部に対応する情報が表面に記載されているカード部とこのカード部に隣接して裏面に剥離剤を有する剥離紙部とを切込みにより区画形成して、前記カード部の裏面と剥離紙部の裏面とこのカード部及び剥離紙部の周囲裏面とに亘って、前記カード台紙側である透明な保護フィルムとこの保護フィルムの裏面に剥離可能に疑似接着した下位フィルムとからなる二層フィルムを接着剤を介して貼り合わせ、
前記切込みの内、前記カード部と剥離紙部との間を除いたカード部と剥離紙部との連続外周を形成する切込みは、前記二層フィルムの保護フィルムを切断して下位フィルムを切断しない深さに達し、かつ、カード部と剥離紙部との間を分ける切込みは前記保護フィルムを切断しない深さに達し、
前記二層フィルムを分離して前記剥離紙部のカード部表面側へのスライドにより、剥離紙部の裏面側から剥離した保護フィルムがカード部の表面に貼着する構成としたことを特徴とするカード用シート。
【発明の詳細な説明】
【０００１】
【発明の属する技術分野】
本発明は保護フィルムを有したカードを得るようにしたカード用シートに関するものである。
【０００２】
【発明が解決しようとする課題】
従来から会員証などのような個人識別を行えるようにするものとして、或る程度の剛性を有する紙板を使用して表面などに会員番号などの個人情報を記載したカードが多く利用されている。そして、その紙製のカードに記載された情報を保護する目的として一般的には以下のように行われていた。その一つとしては、図４（イ）に示すように情報を記載したカードａを別途に用意したラミネート用フィルムｂにて挟み込んでラミネータにより加圧、加熱処理するものがある。また、（ロ）に示すように、二つ折りできる用紙ｃの片頁側にカードａを配し、他方の片頁側の対象位置に二枚の透明フィルムを剥離可能に疑似接着させた二層フィルムｄを配して、この用紙ｃの折り合わせにより二層フィルムの内の一方の透明フィルムをカードａの片面に貼着させるようにしたものもある。さらに、カードａを一つの刃型による切込みで分離可能に区画形成したカード台紙ｅの裏面側に、前記カード裏面に接着されてカード台紙に剥離可能に接着できるラミネート用フィルムｆをもう一種の刃型による切り込み形成して配置し、カードへの印字後（ラミネート用フィルムが貼着されていない方の面に印字される）に前記ラミネート用フィルムを印字面側に貼着するようにしていた。
【０００３】
しかしながら、上記した従来のカードにおいてラミネータを用いてカード全体をラミネートするものや、カード台紙からラミネート用フィルムを伴いながらカードを取り出してからそのラミネート用フィルムを折り返してカードの他方の面を覆うようにしたものでは、カードの外周にラミネート用フィルムが張り出してしまうという問題があるとともに、ラミネート用フィルムを折り返してカード部に貼り付けるものでは、カード切り出しのための刃型とラミネート用フィルム切り出しのための刃型が必要となり、そして、取り出した後に薄いラミネート用フィルムを手で持って折り返して貼り合わせ操作を行わなければならず、貼り損じを生じ易い。また、折り合わせ形態でカードと二層フィルムとを貼り合わせてからその二層フィルムの分離にてカードの片面側をフィルムで覆うようにしたものでは、貼り合わせ後にカードを切り出す手間を要するという問題があった。
そこで本発明は上記した事情に鑑み、カードの形態を損なうことなく、また、ラミネート用フィルムを直接持って貼り合わせを行う必要を生じさせないようにすることを課題とし、貼り合わせ操作が簡単に行えるようにすることを目的とする。
【０００４】
【課題を解決するための手段】
本発明は上記課題を考慮してなされたもので、所定の情報記載部を有するカード台紙の所定部分に、前記情報記載部に対応する情報が表面に記載されているカード部とこのカード部に隣接して裏面に剥離剤を有する剥離紙部とを切込みにより区画形成して、前記カード部の裏面と剥離紙部の裏面とこのカード部及び剥離紙部の周囲裏面とに亘って、前記カード台紙側である透明な保護フィルムとこの保護フィルムの裏面に剥離可能に疑似接着した下位フィルムとからなる二層フィルムを接着剤を介して貼り合わせ、前記切込みの内、前記カード部と剥離紙部との間を除いたカード部と剥離紙部との連続外周を形成する切込みは、前記二層フィルムの保護フィルムを切断して下位フィルムを切断しない深さに達し、かつ、カード部と剥離紙部との間を分ける切込みは前記保護フィルムを切断しない深さに達し、前記二層フィルムを分離して前記剥離紙部のカード部表面側へのスライドにより、剥離紙部の裏面側から剥離した保護フィルムがカード部の表面に貼着する構成としたことを特徴とするカード用シートを提供して、上記課題を解消するものである。
【０００５】
【発明の実施の形態】
つぎに本発明を図１から図３に示す実施の形態に基づいて詳細に説明する。
図中１はカード用シートで、図２に示すように該カード用シート１はカード台紙２と二層フィルム３とが接着剤４を介して貼り合わされてなるものである。前記カード台紙２はその領域内の所定部にカード部５と裏面に剥離剤６を備えた剥離紙部７とが形成されているもので、前記カード部５とこのカード部５に隣接する剥離紙部７とが切込み８により区画形成されて、この隣接配置にあるカード部５と剥離紙部７とを囲み所要位置に情報記載部を有する余白部９がそのカード部５と剥離紙部７の周りに形成されている（図１参照）。即ち、この余白部が前記カード部や剥離紙部以外での情報記載面を形成するものである。
前記カード台紙２の裏面側に接着剤４を介して貼り合わされた二層フィルム３は、カード台紙２側であって上位フィルムとした透明な保護フィルム１０とこの保護フィルム１０の裏面に剥離可能に疑似接着した透明な下位フィルム１１とからなるものである。そして、上記切込み８の内、上記カード部５と剥離紙部７との境界を除いたカード部５と剥離紙部７との連続外周を形成する切込み８ａは、保護フィルム１０を切断して下位フィルム１１を切断しない深さに達し、カード部５と剥離紙部７との境界を形成する切込み８ｂは保護フィルム１０を切断しない深さに達している。このようにカード部５と剥離紙部７との外周を連続するようにして入れられた切込み８ａが下位フィルム１１の表面までに達する深さとなっていることから、前記カード部５と剥離紙部７とは保護フィルム１０を有した状態で分離できるようになり、カード部５自体にあっては片面がその保護フィルム１０にて覆われた状態になっている。さらに、カード部５と剥離紙部７とを分ける切込み８ｂは前記保護フィルム１０を分断しないものであり、かつ、剥離紙部７の裏面に位置する剥離剤６によって剥離紙部７は、保護フィルム１０の剥離紙対応部１０ａから分離できるようにしている。
なお、上記余白部９には各種の情報を設けることができるものであって、例えば、後述するようにカード作成の手順を図示した情報や、このカード用シートを送付する際の窓開き封筒の窓部から表出させるようにした宛名などの情報を設けることができ、これらの情報を所定位置に配置した情報記載部に設けるようにしてもよい。そして、この余白部９への情報記載は、カード部５の表面側への情報記載、及び剥離紙部７の表面側への情報記載ととも同時に、プリンタなどを用いた機械印字、印刷などの手法を用いて記載するようにしてもよい。このカード部５へ記載される情報は前記情報記載部の記載情報に対応する情報であり、さらにはその情報記載部以外に記載される情報とも対応させるようにしてもよい。
【０００６】
上記構造のカード用シート１からカードを得るに当たっては、上記二層フィルム３を保護フィルム１０と下位フィルム１１とに分けるようにして切込み８ａの部分からカード部５と剥離紙部７とを連接させた状態のまま余白部９から分離し、そして、図３に示すように、切込み８ｂから剥離紙部７をカード部５の表面側へスライドさせることより、剥離紙部７の裏面側から保護フィルム１０の剥離紙部対応部１０ａが剥離しながらカード部５の表面に貼着されるようになる。前記剥離紙部７にあっては、カード部５の形状より一回り小さい形状とされていて、前記剥離紙部対応部１０ａもカード部５の形状より一回り小さい形状となっており、前述の剥離紙部７のスライド操作で若干貼り合わせ位置がずれたとしてもカード部５の外方へ保護フィルム１０の剥離紙部対応部１０ａは張り出ることがないように設けられている。勿論、前記剥離紙部対応部１０ａをカード部５と同じ形状としてもよい。
【０００７】
【発明の効果】
以上説明したように、本発明のカード用シートによれば、所定の情報記載部を有するカード台紙の所定部分に、前記情報記載部に対応する情報が表面に記載されているカード部とこのカード部に隣接して裏面に剥離剤を有する剥離紙部とを切込みにより区画形成して、前記カード部の裏面と剥離紙部の裏面とこのカード部及び剥離紙部の周囲裏面とに亘って、前記カード台紙側である透明な保護フィルムとこの保護フィルムの裏面に剥離可能に疑似接着した下位フィルムとからなる二層フィルムを接着剤を介して貼り合わせ、前記切込みの内、前記カード部と剥離紙部との間を除いたカード部と剥離紙部との連続外周を形成する切込みは、前記二層フィルムの保護フィルムを切断して下位フィルムを切断しない深さに達し、かつ、カード部と剥離紙部との間を分ける切込みは前記保護フィルムを切断しない深さに達し、前記二層フィルムを分離して前記剥離紙部のカード部表面側へのスライドにより、剥離紙部の裏面側から剥離した保護フィルムがカード部の表面に貼着する構成としたことを特徴とするものである。
これによって、従来のラミネート手法のように特別なラミネート装置を必要とすることがなく、カード台紙の二層フィルムが設けられていない面側が平坦化されているのでカード部、剥離紙部、そして、その周辺である余白部分それぞれの上面に対するプリント適性が良好となる。また、隣接状態にあるカード部と剥離紙部との周りに余白部分が存在するため、切込みを有していてもカード台紙の剛性が向上して、プリンタなどへのフィード適性が良好になる。さらに、カード台紙に対しては従来のような表面側からのカードサイズの切込みの刃型と、裏面側からのラミネート用フィルムを切り出すための刃型との二種の刃型を用意する必要がなく、カード台紙の表面側からの一種の刃型で対処できるようになるなど、実用性に優れた効果を奏するものである。
【図面の簡単な説明】
【図１】  本発明に係るカード用シートの一例を示す説明図である。
【図２】  一例を断面で示す説明図である。
【図３】  一例における保護フィルムのカード部に対する貼り付けを示す説明図である。
【図４】  従来例を示す説明図である。
【符号の説明】
１…カード用シート
２…カード台紙
３…二層フィルム
４…接着剤
５…カード部
６…剥離剤
７…剥離紙部
８，８ａ，８ｂ…切込み
９…余白部
１０…保護フィルム
１０ａ…剥離紙部対応部
１１…下位フィルム
【図１】
0003686511.tif 000002
【図２】
0003686511.tif 000003
【図３】
0003686511.tif 000004
【図４】
0003686511.tif 000005